(57)【要約】【課題】  加湿した高温風の送出を環境に優しく高効率で容易に行う加湿温風器を提供すること。【解決手段】  本発明の加湿温風器１００は、送入水を純化し純水とする純水器１１と、純水器１１よりの純水を気化し加湿空気を送出する加湿器２０と、加湿器２０より送出の加湿空気を加熱し送出する加熱ダクト３０とを備え、加湿器２０は、外部よりの空気を旋回させ遠心力を与える遠心器２４を設け、純水Ｗの表面に発生する蒸気を吸入空気に混合し加湿空気を生成し送出する遠心式加湿器とすることとした。【選択図】図１
2016080336.tif 000002
【特許請求の範囲】
【請求項１】
送入水を純化し純水とする純水器と、前記純水器よりの前記純水を気化し加湿空気を送出する加湿器と、前記加湿器より送出の前記加湿空気を加熱し送出する加熱ダクトとを備えることとしたことを特徴とする加湿温風器。
【請求項２】
前記加湿器は、外部よりの空気を旋回させ遠心力を与える遠心器を設け、前記純水器よりの前記純水の表面に発生する蒸気を前記空気に混合し加湿空気を生成し送出する遠心式加湿器とすることを特徴とする請求項１に記載の加湿温風器。
【請求項３】
前記加湿器は、前記純水器よりの前記純水の内部に超音波発生器を設け、前記超音波発生器により発生する蒸気を前記空気に混合し加湿空気を生成し送出する超音波式加湿器とすることを特徴とする請求項１に記載の加湿温風器。
【請求項４】
前記加湿器は、前記純水器よりの前記純水を含有する加湿エレメントを設け、前記加湿エレメントに外部よりの空気を与え前記加湿エレメントに含有する前記純水を気化した蒸気を混合し加湿空気を生成し送出する気化式加湿器とすることを特徴とする請求項１に記載の加湿温風器。
【請求項５】
前記送風ダクトは、垂直に設け、なくとも１個の垂直方向に設けたコイル形の加熱器により前記加湿空気を加熱することとしたことを特徴とする請求項１に記載の加湿温風器。
【請求項６】
前記送風ダクトは、垂直に設け、少なくとも１個の水平方向に設けたコイル形の加熱器により前記加湿空気を加熱することとしたことを特徴とする請求項１に記載の加湿温風器。
【発明の詳細な説明】
【技術分野】
【０００１】  本発明は、加湿した高温風の送出を環境に優しく高効率で容易に行う加湿温風器に関する。
【背景技術】
【０００２】  従来の温風器には、外部から吸入した空気を電熱ヒータで加熱しファンで外部に送出する電熱ヒータ式の温風器がある（例えば、特許文献１参照）。
【先行技術文献】
【特許文献】
【０００３】
【特許文献１】  特開２００１−２６３８２３号公報
【発明の概要】
【発明が解決しようとする課題】
【０００４】  しかしながら、従来の電熱ヒータ式の温風器は、二酸化炭素を発生することがなく環境に優しくすることはできるが、外部から吸入した空気を電熱ヒータで加熱するため熱容量は小で暖房効率も低いという問題があった。また、熱容量を増大するためには電熱ヒータを大型化または複数設ける必要があり複雑構造となるという問題もあった。
さらに、暖房とともに加湿を行なうためには加湿機を別途使用しなければならないという問題もあった。
本発明は、上記に鑑みてなされたものであって、加湿した高温風の送出を環境に優しく高効率で容易に行う加湿温風器を提供することを目的とする。
【課題を解決するための手段】
【０００５】  本発明の加湿温風器は、送入水を純化し純水とする純水器と、前記純水器よりの前記純水を気化し加湿空気を送出する加湿器と、前記加湿器より送出の前記加湿空気を加熱し送出する加熱ダクトとを備えることとした。
また、前記加湿器は、外部よりの空気を旋回させ遠心力を与える遠心器を設け、前記純水器よりの前記純水の表面に発生する蒸気を前記空気に混合し加湿空気を生成し送出する遠心式加湿器とすることとした。
また、前記加湿器は、前記純水器よりの前記純水の内部に超音波発生器を設け、前記超音波発生器により発生する蒸気を前記空気に混合し加湿空気を生成し送出する超音波式加湿器とすることとした。
また、前記加湿器は、前記純水器よりの前記純水を含有する加湿エレメントを設け、前記加湿エレメントに外部よりの空気を与え前記加湿エレメントに含有する前記純水を気化した蒸気を混合し加湿空気を生成し送出する気化式加湿器とすることとした。
また、前記送風ダクトは、垂直に設け、少なくとも１個の垂直方向に設けたコイル形の加熱器により前記加湿空気を加熱することとした。
さらに、前記送風ダクトは、垂直に設け、少なくとも１個の水平方向に設けたコイル形の加熱器により前記加湿空気を加熱することとした。
【発明の効果】
【０００６】  本発明の加湿温風器は、送入水を純化し純水とする純水器と、前記純水器よりの前記純水を気化し加湿空気を送出する加湿器と、前記加湿器より送出の前記加湿空気を加熱し送出する加熱ダクトとを備えることとしたため、加湿した高温風の送出を高効率で容易に行うことができる。
また、前記加湿器は、外部よりの空気を旋回させ遠心力を与える遠心器を設け、前記純水器よりの前記純水の表面に発生する蒸気を前記空気に混合し加湿空気を生成し送出する遠心式加湿器とすることとしたため、より的確容易に高効率で加湿空気を送出することができる。
また、前記加湿器は、前記純水器よりの前記純水の内部に超音波発生器を設け、前記超音波発生器により発生する蒸気を前記空気に混合し加湿空気を生成し送出する超音波式加湿器とすることとしたため、より的確容易に高効率で加湿空気を送出することができる。
また、前記加湿器は、前記純水器よりの前記純水を含有する加湿エレメントを設け、前記加湿エレメントに外部よりの空気を与え前記加湿エレメントに含有する前記純水を気化した蒸気を混合し加湿空気を生成し送出する気化式加湿器とすることとしたため、より的確容易に高効率で加湿空気を送出することができる。
また、前記送風ダクトは、垂直に設け、少なくとも１個の垂直方向に設けたコイル形の加熱器により前記加湿空気を加熱することとしたため、加湿した高温風の送出をより確実容易に行うことができる。
さらに、前記送風ダクトは、垂直に設け、少なくとも１個の水平方向に設けたコイル形の加熱器により前記加湿空気を加熱することとしたため、加湿した高温風の送出をより確実容易に行うことができる。
【図面の簡単な説明】
【０００７】
【図１】  本発明の第１の実施形態の遠心式の加湿温風器の側面図を示す。
【図２】  本発明の第２の実施形態の超音波式の加湿温風器の側面図を示す。
【図３】  本発明の第３の実施形態の気化式の加湿温風器の側面図を示す。
【図４】  本発明の加湿温風器に使用する他の実施例の加熱ダクトの断面図を示す。
【発明を実施するための形態】
【０００８】  以下、本発明の第１、第２、第３の実施形態の加湿温風器及び他の実施例の加熱ダクトにつき説明する。
【実施例１】
【０００９】  図１は、本発明の第１の実施形態の遠心式の加湿温風器の側面図を示す。
図１に示すように、本発明の第１の実施形態の遠心式の加湿温風器１００は、発生する蒸気により加湿空気を生成し送出する遠心式加湿器２０と、遠心式加湿器２０より送出の加湿空気を加熱し送出する加熱ダクト３０とが設けられている。図１では、遠心式加湿器２０と加熱ダクト３０とは断面図を示す。【００１０】  遠心式加湿器２０は、純水器１１により純化した純水Ｗが水槽２１に貯留され、多数の小穴２２ａが外周に明けられ貯留する純水Ｗの中に下方部が挿入され蒸気発生の円筒２２と、蒸気発生の円筒２２と同芯で駆動モーター２３により回転駆動し内側に羽部２４ａが形成された半円球形状の回転体２４と、円筒２２と回転体２４とを覆い多数の小穴２７ａが外周に明けられたカバー２７とが設けられている。
カバー２７の上方向の開口に設けられた電動ファン２６により吸入口２８より矢印Ｒに示すように空気が吸入される。吸入空気は、カバー２７の外周に明けられた多数の小穴２７ａと、円筒２２の外周に明けられた小穴２２ａとを通り回転体２４により回転旋回し上方に吸引され送出するが、このとき純水Ｗの表面に発生する蒸気と混合するため生成した加湿空気を加熱ダクト３０により加熱し送出する。そのため、簡潔容易に加熱した加湿空気を高効率で送出することができる。
純水器１１は、送入管１２よりの水道水が矢印Ｆに示すように送入され純化を行なう。純水器１１により純化された純水は、純水タンク１４に貯留され、遠心式加湿器２０に送出する。遠心式加湿器２０は、純水タンク１４より送出の純水を貯留し、水位センサ２５が予め定めた水位以下になったことを検知したとき制御弁１３が開き、送入管１２よりの水道水が純水器１１に送入される。純水器１１により純化された純水は純水タンク１４に貯留される。純水タンク１４では、遠心式加湿器２０に貯留の純水Ｗが予め定めた水位になるまで送出が行われ、遠心式加湿器２０の水位が一定の高さに制御される。【００１１】  加熱ダクト３０は、垂直に設けられ、コイル形の加熱器３１が垂直にダクト内に設けられており、遠心式加湿器２０より送出する加湿空気を加熱器３１により加熱し、加湿した高温風として矢印Ｋに示すように送出する。【００１２】  次に、本発明の第１の実施形態の遠心式の加湿温風器の動作につき説明する。
遠心式加湿器２０は、純水器１１により純化した純水Ｗを貯留し、遠心式加湿器２０により加湿空気を生成し加熱ダクト３０に送出する。遠心式加湿器２０に貯留した純水Ｗは水位センサ４５により水位を一定の高さに制御される。
加熱ダクト３０は、遠心式発生器２０より送出する加湿空気を加熱し送風ダクト３０に送出する。
送風ダクト３０は、加熱器３１により加熱した加湿空気を加湿した高温風として送出する。【００１３】  以上述べたように、本発明の第１の実施形態の遠心式の加湿温風器は、水道水より蒸気を的確に発生させ加湿空気を生成し、環境に優しく加湿した高温風の送出を高効率で容易に行うことができる。また、純水器１１により純化した純水を使用するため、錆の発生や不純物の付着を防止することができる。
また、遠心式加湿器２０は、貯留した純水Ｗより効果的に加湿空気を送出することができる。また、水位センサ２５により貯留する純水Ｗを一定に保ち、連続的に常に的確に加湿空気を送出することもできる。
さらに、送風ダクト３０は、垂直方向に設けているため、加湿した高温風を効果的に送出することができる。
【実施例２】
【００１４】  図２は、本発明の第２の実施形態の超音波式の加湿温風器の側面図を示す。
図２に示すように、本発明の第２の実施形態の超音波式の加湿温風器２００は、超音波発生器４１により発生する蒸気により加湿空気を生成し送出する超音波式加湿器４０と、超音波式加湿器４０より送出の加湿空気を加熱し送出する加熱ダクト３０とが設けられている。図２では、超音波式加湿器４０と加熱ダクト３０とは断面図を示す。【００１５】  超音波式加湿器４０は、純水器１１により純化した純水Ｗが水槽４２に貯留され、貯留する純水Ｗの中に設けられた超音波発生器４１により発生する蒸気を電動ファン４６により吸入口４３より矢印Ｒに示す吸入の空気に混合して生成した加湿空気を加熱ダクト３０により加熱し送出する。そのため、簡潔容易に加熱した加湿空気を高効率で送出することができる。
純水器１１は、送入管１２よりの水道水が矢印Ｆに示すように送入され純化を行なう。純水器１１により純化された純水は、純水タンク１４に貯留され、超音波式加湿器４０に送出する。超音波式加湿器４０は、純水タンク１４より送出の純水を貯留し、水位センサ４５が予め定めた水位以下になったことを検知したとき制御弁１３が開き、送入管１２よりの水道水が純水器１１に送入される。純水器１１により純化された純水は純水タンク１４に貯留される。純水タンク１４では、超音波式加湿器４０に貯留の純水Ｗが予め定めた水位になるまで送出が行われ、超音波式加湿器４０の水位が一定の高さに制御される。【００１６】  加熱ダクト３０は、垂直に設けられ、コイル形の加熱器３１が垂直にダクト内に設けられており、超音波式発生器４０より送出する加湿空気を加熱器３１により加熱し、加湿した高温風として矢印Ｋに示すように送出する。【００１７】  次に、本発明の第２の実施形態の超音波式の加湿温風器の動作につき説明する。
超音波式加湿器４０は、純水器１１０により純化した純水Ｗを貯留し、超音波発生器４１により発生した蒸気により加湿空気を生成し加熱ダクト３０に送出する。超音波式加湿器４０に貯留した純水Ｗは水位センサ４５により水位を一定の高さに制御される。
加熱ダクト３０は、超音波式発生器４０より送出する加湿空気を加熱ダクト３０により加熱し、加湿した高温風として送出する。【００１８】  以上述べたように、本発明の第２の実施形態の超音波式の加湿温風器は、水道水より蒸気を的確に発生させ加湿空気を生成し、環境に優しく加湿した高温風の送出を高効率で容易に行うことができる。また、純水器１１により純化した純水を使用するため、錆の発生や不純物の付着を防止することができる。
また、超音波式加湿器４０は、貯留した純水Ｗより超音波発生器４１と電動ファン４６とにより効果的に加湿空気を送出することができる。また、水位センサ４５により貯留する純水Ｗを一定に保ち、連続的に常に的確に加湿空気を送出することもできる。
さらに、送風ダクト３０は、垂直方向に設けているため、加湿した高温風を効果的に送出することができる。
【実施例３】
【００１９】  図３は、本発明の第３の実施形態の気化式の加湿温風器の側面図を示す。
図３に示すように、本発明の第１の実施形態の気化式の加湿温風器３００は、発生する蒸気により加湿空気を生成し送出する気化式加湿器５０と、気化式加湿器５０より送出の加湿空気を加熱し送出する加熱ダクト３０とが設けられている。図３では、気化式加湿器５０と加熱ダクト３０とは断面図を示す。【００２０】  気化式加湿器５０は、純水器１１により純化した純水Ｗが水槽５１に貯留され、水槽５１は、側面に空気取入穴５１ａが形成され、内部には円筒５２が設けられている。円筒５２は、多数の小穴５２ａが外周に明けられ貯留する純水Ｗの中に下方部が挿入され粒状の加湿エレメント５３を内装する。
水槽５１の上方向の開口に設けられた電動ファン５６により空気取入穴５１ａより矢印Ｒに示すように空気が吸入される。吸入空気は、円筒５２の外周に明けられた小穴５２ａと、粒状の加湿エレメント５３の隙間を通り吸引される。
このとき、気化式加湿器５０は、加湿エレメント５３が純水器１１よりの純水Ｗを含有しており、吸入空気が加湿エレメント５３に含有する純水Ｗを気化した蒸気を混合し加湿空気を生成する。【００２１】  従って、気化式加湿器５０は、吸入空気が粒状の加湿エレメント５３の表面に発生する蒸気と吸入空気が混合するため生成した加湿空気を加熱ダクト３０により加熱し送出する。そのため、環境に優しく簡潔容易に加熱した加湿空気を高効率で送出することができる。
純水器１１は、送入管１２よりの水道水が矢印Ｆに示すように送入され純化を行なう。純水器１１により純化された純水は、純水タンク１４に貯留され、気化式加湿器５０に送出する。気化式加湿器５０は、純水タンク１４より送出の純水を貯留し、水位センサ５５が予め定めた水位以下になったことを検知したとき制御弁１３が開き、送入管１２よりの水道水が純水器１１に送入される。純水器１１により純化された純水は純水タンク１４に貯留される。純水タンク１４では、気化式加湿器５０に貯留の純水Ｗが予め定めた水位になるまで送出が行われ、気化式加湿器５０の水位が一定の高さに制御される。【００２２】  加熱ダクト３０は、垂直に設けられ、コイル形の加熱器３１がダクト内に垂直に設けられており、気化式加湿器５０より送出する加湿空気を加熱器３１により加熱し、加湿した高温風として矢印Ｋに示すように送出する。【００２３】  次に、本発明の第３の実施形態の気化式の加湿温風器の動作につき説明する。
気化式加湿器５０は、純水器１１により純化した純水Ｗを貯留し、気化式加湿器５０により加湿空気を生成し加熱ダクト３０に送出する。気化式加湿器５０に貯留した純水Ｗは水位センサ５５により水位を一定の高さに制御される。
加熱ダクト３０は、気化式加湿器５０より送出する加湿空気を加熱し加熱した加湿空気を加湿した高温風として送出する。【００２４】  以上述べたように、本発明の第３の実施形態の気化式の加湿温風器は、水道水より蒸気を的確に発生させ加湿空気を生成し、環境に優しく加湿した高温風の送出を高効率で容易に行うことができる。また、純水器１１により純化した純水を使用するため、錆の発生や不純物の付着を防止することができる。
また、気化式加湿器５０は、貯留した純水Ｗより効果的に加湿空気を送出することができる。また、水位センサ５５により貯留する純水Ｗを一定に保ち、連続的に常に的確に加湿空気を送出することもできる。
さらに、送風ダクト３０は、垂直方向に設けているため、加湿した高温風を効果的に送出することができる。
【実施例４】
【００２５】  図４は、本発明の加湿温風器に使用する他の実施例の加熱ダクトの断面図を示す。
図４に示すように、加熱ダクト６０は、垂直方向に設けられ、コイル形の水平加熱器６３がダクト内に少なくとも１個水平方向に設けられており、電動ファン６２より送出する加湿空気をコイル形の水平加熱器６３により加熱し、加湿した高温風として矢印Ｋに示すように送出する。
そのため、加熱ダクト６０は、加湿した高温風をより効果的に送出することができる。
【産業上の利用可能性】
【００２６】  本発明の加湿温風器は、家庭用や工場用などに使用することができるが、ビニールハウスなどにも幅広く適用することができる。
【符号の説明】
【００２７】  １００  遠心式の加湿温風器
２００  超音波式の加湿温風器
３００  気化式の加湿温風器
１１  純水器
２０  遠心式加湿器
２２  蒸気発生の円筒
２４  半円球形状の回転体
２６、４６、５６  電動ファン
３０、６０  加熱ダクト
３１  コイル形の加熱器
４１  超音波発生器
４０  超音波式加湿器
５０  気化式加湿器
５３  粒状の加湿エレメント
６３  コイル形の水平加熱器
【図１】
2016080336.tif 000003
【図２】
2016080336.tif 000004
【図３】
2016080336.tif 000005
【図４】
2016080336.tif 000006